(57)【要約】      （修正有）【課題】操作説明情報が見やすく、狭い操作室でも邪魔にならず、水門設備の操作室内の操作盤の近傍に設置できるロール式操作説明板を提供する。【解決手段】ロール式操作説明板１は、スクリーン２と、ローラ３と、ホルダ４と、吊持部材５とを備えている。ロール式操作説明板１は、吊持部材５を介して操作盤の近傍の天井、梁、壁面等に吊設され、プルボール８を引き下げることにより、ローラ３がバネのバネ力に抗して巻解き方向に回転して、スクリーン２を引き出し、スクリーン２を任意又は所定の位置で停止させると、ロック機構によってローラ３がロックされ、スクリーン２をその位置で保持することができる。スクリーン２が保持された位置からブルボール８を引き下げることにより、ロック機構のロックが解除され、バネのバネ力によってローラ３が巻上げ方向に回転し、スクリーン２がロール３に巻上げられる。【選択図】図１
0003184815.tif 000002
【実用新案登録請求の範囲】
【請求項１】
水門設備の操作室内の操作盤の近傍に設置して前記操作盤の操作方法を説明するためのロール式操作説明板であって、
前記操作盤の操作説明情報が表示されたスクリーンと、
前記スクリーンを巻上げるローラと、
前記ローラを回転可能に支持するホルダと、
前記ローラを前記スクリーンの巻上げ方向にバネ付勢するバネ手段と、
前記ローラの回転をロック可能なロック手段とを備えていることを特徴とするロール式操作説明板。
【請求項２】
前記ホルダには、該ホルダを吊下げて支持するための吊持部材が設けられていることを特徴とする請求項１に記載のロール式操作説明板。
【考案の詳細な説明】
【技術分野】
【０００１】
本考案は、水門設備等の操作盤の操作方法を説明するためのロール式操作説明板に関する。
【背景技術】
【０００２】
一般的に、水門設備等の操作室には、操作盤の操作方法を説明する操作説明板が設けられている。従来、例えば、操作説明板は、操作盤の操作方法をアクリル製の板に印刷し、操作室の壁面又は鋼製スタンドに取付けられ、又は、チェーン等を用いて天井から吊り下げられている。
【０００３】
また、この操作説明板に関して、例えば、特許文献１には、作業室内の操作盤の近くの壁面に設置された手順操作説明板が記載されている。
【先行技術文献】
【特許文献】
【０００４】
【特許文献１】特開２００４−３２１１３２号公報
【考案の概要】
【考案が解決しようとする課題】
【０００５】
しかしながら、上述の操作説明板では、次のような問題がある。鋼製スタンドを用いた設置方法では、操作室が狭い場合、設置する場所を確保することが困難である。また、操作盤を操作する場所から離れた場所又は壁面に取付けた場合、文字が小さく見えづらくなる虞がある。更に、操作説明板を天井から吊るした場合、操作者の移動の邪魔になり、特に、狭い操作室では、操作者に接触する虞がある。
【０００６】
本考案は、上記の点に鑑みてなされたものであり、操作説明情報が見やすく、狭い操作室でも邪魔にならず、水門設備の操作室内の操作盤の近傍に設置することができるロール式操作説明板を提供することを目的とする。
【課題を解決するための手段】
【０００７】
上記の課題を解決するために、請求項１に係るロール式操作説明板は、水門設備の操作室内の操作盤の近傍に設置して前記操作盤の操作方法を説明するためのロール式操作説明板であって、
前記操作盤の操作説明情報が表示されたスクリーンと、
前記スクリーンを巻上げるローラと、
前記ローラを回転可能に支持するホルダと、
前記ローラを前記スクリーンの巻上げ方向にバネ付勢するバネ手段と、
前記ローラの回転をロック可能なロック手段とを備えていることを特徴とする。
また、請求項２に係るロール式操作説明板は、前記ホルダには、該ホルダを吊下げて支持するための吊持部材が設けられていることを特徴とする。
【０００８】
請求項１の考案に係るロール式操作説明板によれば、水門設備の操作室内に設置した操作盤を操作する場合、必要に応じて操作説明情報が表示されたスクリーンを引き出し、又は、巻上げて収納することができる。
また、請求項２の考案に係るロール式操作説明板によれば、吊持部材により天井、梁、壁面等に吊設することができる。
【考案の効果】
【０００９】
本考案は、水門設備の操作室内に設置した操作盤を操作する場合、操作説明情報が見やすく、狭い操作室でも邪魔にならず、水門設備の操作室内の操作盤の近傍に設置することができるロール式操作説明板を提供する。
【図面の簡単な説明】
【００１０】
【図１】本考案の一実施形態に係るロール式操作説明板のスクリーンが引き出された状態を示す斜視図である。
【図２】図１のロール式操作説明板において、スクリーンが収納された状態を示す斜視図である。
【考案を実施するための形態】
【００１１】
以下、本考案の一実施形態を図１及び図２に基づいて詳細に説明する。
図１に示すように、本実施形態のロール式操作説明板１は、水門設備の操作室内において、水門設備の各種機器等を操作する操作盤（図示せず）の操作方法を説明するためのものである。このロール式操作説明板１は、スクリーン２と、ローラ３と、ホルダ４と、吊持部材５とを備えている。なお、スクリーン２は、柔軟性を有する適宜の素材で形成することができるが、スクリーン２の素材として、磁性材料を含有した素材を用いることにより、磁石を備えた表示具をスクリーンの表面に吸着させることができる。
【００１２】
スクリーン２は、水門設備の操作室内の操作盤の操作方法の説明文字及び操作盤を操作する箇所の図等の操作説明情報２Ａが印刷されている。スクリーン２は、その上端がローラ３に連結され、ローラ３によって巻上げられ、また、ローラ３から引き出される（巻解かれる）ようになっている。スクリーン２の下端には、ボトムバー６が取付けられている。ボトムバー６は、適度な重量を有し、スクリーン２を引き出したとき、スクリーン２のしわを防止し、また、スクリーン２を安定させる。ボトムバー６の中央には、プルコード７の一端が取付けられ、このプルコード７の他端には、プルボール８が取付けられている。なお、プルコード７又はプルボール８を操作盤の近傍に設けられたフック等の掛止手段に掛止してもよい。
【００１３】
スクリーン２に連結されたローラ３は、ホルダ４の両端部に設けられた一対の軸受アーム部９，９に回転可能に支持されている。ローラ３には、図示しない巻上げバネ（バネ手段）が内蔵され、この巻上げバネは、スクリーン２を引き出す際、ローラ３が引き出し方向（巻解き方向）に回転することにより、弾性変形してバネ力を蓄積し、スクリーン２を巻上げする際、バネ力によってローラ３を巻上げ方向へ回転させる。また、ローラ３には、巻上げバネのバネ力を調整する調整機構１０が設けられている。この調整機構１０で巻上げバネのバネ力を調整することによりスクリーン２の巻上げ速度を調整することができる。また、ローラ３には、図示しないロック機構（ロック手段）が設けられている。このロック機構は、スクリーン２を引き出す際、任意又は所定の位置でスクリーン２を停止させるとローラ３の回転をロックしてスクリーン２をその位置で保持し、スクリーン２を巻上げる際、ローラ３がロックされた位置から一旦スクリーン２を引き出すことにより、ロックが解除され、巻上げバネのバネ力によってスクリーン２を巻取ることができるようになっている。
【００１４】
ホルダ４の上部には、吊持部材５が取付けられている。吊持部材５は、ワイヤ、チェーン、紐等の紐状部材であり、ホルダ４の上部２箇所に取付けられ、天井、梁、壁面等に設けられたフック等の掛止手段に掛止して、ロール式操作説明板１を吊下げるためのものである。
【００１５】
以上のように構成したロール式操作説明板１の操作について次に説明する。
ロール式操作説明板１は、吊持部材５によって操作盤の近傍の天井、梁、壁面等に吊設される。そして、図１に示すように、プルボール８を引き下げることにより、ローラ３が巻上げバネのバネ力に抗して巻解き方向に回転して、スクリーン２を引き出すことができる。スクリーン２を任意又は所定の位置で停止させると、ロック機構によってローラ３の回転がロックされ、スクリーン２をその位置で保持することができる。また、プルコード７又はプルボール８を図示しない掛止手段に掛止することにより、操作盤を設置している壁面に凹凸部があった場合でも、スクリーン２を安定した状態で設置することができる。
【００１６】
また、図２に示すように、スクリーン２を巻上げる場合、スクリーン２が保持された位置からブルボール８をさらに引き下げることにより、ロック機構のロックが解除され、巻上げバネのバネ力によってローラ３がスクリーン２の巻上げ方向に回転し、スクリーン２がロール３に巻上げられる。
【００１７】
このようにして、ロール式操作説明板１は、水門設備の操作室内の操作盤近傍の天井、梁、壁面等に吊設することができ、必要に応じてスクリーン２を引き出して操作説明情報２Ａを参照することができ、また、スクリーン２を巻上げて収納することができる。その結果、スペースを有効に活用することができ、狭い操作室でも邪魔になることがない。
【符号の説明】
【００１８】
１…ロール式操作説明板、２…スクリーン、２Ａ…操作説明情報、３…ローラ、４…ホルダ
【図１】
0003184815.tif 000003
【図２】
0003184815.tif 000004